(57)【要約】【課題】少ない除塵操作で高い除塵効果のある集塵装置を備えた電気掃除機を提供する。【解決手段】集塵装置６に備えられ回動自在な操作部材１４と、上部フィルタ１２に付着した塵埃を除去する除塵部材１３と、操作部材１４と除塵部材１３を連結する連結部材３４と、除塵部材１３を上部フィルタ１２方向へ付勢する弾性体３６とを備え、連結部材３４には除塵部材１３を上部フィルタ１２から離間させる方向に誘導し傾斜面を有する凸部３７を周方向に複数個所並べて形成し、除塵部材１３には凸部３７と当接する山部３８を形成し、操作部材１４の操作により、除塵部材１３が上部フィルタ１２の下流側の面に対し略垂直方向に往復動作する構成としたことで、操作部材１４の回動操作に連動して除塵部材１３が上部フィルタ１２方向に往復動作し、上部フィルタ１２に繰り返し衝撃を与え、操作部材１４の少ない回動操作でも高い除塵効果が得られ使い勝手を向上できる。【選択図】図４
2014000343.tif 000002
【特許請求の範囲】
【請求項１】
内周面が略円筒状で、吸引された塵埃を含む空気を前記内周面に沿って旋回させて遠心分離した塵埃を捕集する集塵容器と、
前記集塵容器の上方を覆う上蓋と、
前記集塵容器の中央に設けられ遠心分離後の空気を上方へ排気する内筒と、
前記内筒の上部に配置され上方へ排気される空気に含まれる塵埃をさらに捕集する上部フィルタとで構成される集塵装置において、
前記集塵装置の外部から操作可能で回動自在な操作部材と、
前記上部フィルタに付着した塵埃を除去する除塵部材と、
前記操作部材と前記除塵部材を連結する連結部材と、
前記除塵部材を前記上部フィルタ方向へ付勢する弾性体と、を備え、
前記弾性体を前記上蓋と前記除塵部材との間に配置し、前記連結部材と前記操作部材は前記除塵部材と前記上蓋を挟み込むようにして結合し、
前記除塵部材の回動を防止する回動防止手段を前記除塵部材及び前記上蓋に設け、
前記連結部材には、前記除塵部材を前記上部フィルタから離間させる方向に誘導する傾斜面を有した凸部を周方向に複数個所並べて形成し、
前記除塵部材には前記凸部と当接する山部を形成し、
前記操作部材を回転操作することにより、前記除塵部材が前記上部フィルタの下流側の面に対し略垂直方向に往復動作する構成とした電気掃除機。
【請求項２】
山部を、凸部より少ない個数で均等な間隔を設けて形成した請求項１に記載の電気掃除機。
【請求項３】
除塵部材と連結部材との間に摺動抵抗を低減する為の摺動リブを前記除塵部材に複数箇所形成し、前記摺動リブ同士の間には塵埃等を逃がすための回避空間を設けた請求項１または２に記載の電気掃除機。
【発明の詳細な説明】
【技術分野】
【０００１】
本発明は、集塵手段に付着した塵埃を、集塵手段を加振することにより除塵する除塵手段を有する集塵装置を備えた電気掃除機に関するものである。
【背景技術】
【０００２】
従来より、この種の電気掃除機は、遠心分離式の集塵装置において、遠心分離された空気に含まれる塵埃をさらに捕集する上部フィルタと、集塵装置の外部から操作可能で回動自在な操作部材と、上部フィルタに上方から衝撃を与える接触部を備えた除塵部材とで構成され、操作部材の回転操作と連動して除塵部材が回動することにより、上部フィルタに付着した塵埃を除去する構成としていた（例えば、特許文献１参照）。
【先行技術文献】
【特許文献】
【０００３】
【特許文献１】特開２０１１−１０４４３５号公報
【発明の概要】
【発明が解決しようとする課題】
【０００４】
しかしながら、前記従来の構成では、除塵部材に備えられた接触部は、上部フィルタの上方を同一の軸中心で回動する為、操作部材の回動操作１回転に対しプリーツ上端を１回ずつしか衝撃を与えられない為、塵埃の除去が十分に行われず、操作部材を何度も回転させる必要があり、使い勝手が悪いという課題を有していた。
【０００５】
本発明は、前記従来の課題を解決するもので、操作部材の少ない回動操作でも高い除塵効果が得られる集塵装置を備えた電気掃除機を提供することを目的とする。
【課題を解決するための手段】
【０００６】
前記従来の課題を解決するために、本発明の電気掃除機は、内周面が略円筒状で、吸引された塵埃を含む空気を前記内周面に沿って旋回させて遠心分離した塵埃を捕集する集塵容器と、前記集塵容器の上方を覆う上蓋と、前記集塵容器の中央に設けられ遠心分離後の空気を上方へ排気する内筒と、前記内筒の上部に配置され上方へ排気される空気に含まれる塵埃をさらに捕集する上部フィルタとで構成される集塵装置において、前記集塵装置の外部から操作可能で回動自在な操作部材と、前記上部フィルタに付着した塵埃を除去する除塵部材と、前記操作部材と前記除塵部材を連結する連結部材と、前記除塵部材を前記上部フィルタ方向へ付勢する弾性体と、を備え、前記弾性体を前記上蓋と前記除塵部材との間に配置し、前記連結部材と前記操作部材は前記除塵部材と前記上蓋を挟み込むようにして結合し、前記除塵部材の回動を防止する回動防止手段を前記除塵部材及び前記上蓋に設け、前記連結部材には、前記除塵部材を前記上部フィルタから離間させる方向に誘導する傾斜面を有した凸部を周方向に複数個所並べて形成し、前記除塵部材には前記凸部と当接する山部を形成し、前記操作部材を回転操作することにより、前記除塵部材が前記上部フィルタの下流側の面に対し略垂直方向に往復動作する構成としたものである。
【０００７】
これによって、操作部材の回動操作に連動して除塵部材が上部フィルタ方向に往復動作し、上部フィルタに繰り返し衝撃を与えることができる為、操作部材の少ない回動操作でも高い除塵効果が得られ、使い勝手の向上が可能となる。
【発明の効果】
【０００８】
本発明の電気掃除機は、操作部材の少ない回動操作でも高い除塵効果が得られる集塵装
置を備えているので、使い勝手を向上できる。
【図面の簡単な説明】
【０００９】
【図１】本発明の実施の形態１における集塵装置を備えた電気掃除機の全体斜視図
【図２】同集塵装置の全体斜視図
【図３】同集塵装置の中央断面図
【図４】図２におけるＡ−Ａ断面図
【図５】同集塵装置の除塵手段を含む上蓋を外した状態の全体斜視図
【図６】同集塵装置の除塵手段を含む上蓋及び上部フィルタを外した状態の上面図
【図７】同集塵装置の内部構成を示す分解斜視図
【図８】同集塵装置の除塵手段を含む上蓋の斜視図
【図９】同集塵装置の除塵手段を含む上蓋の要部断面図
【図１０】同集塵装置の除塵部材の全体斜視図
【図１１】図３におけるＢ−Ｂ断面図
【発明を実施するための形態】
【００１０】
第１の発明は、内周面が略円筒状で、吸引された塵埃を含む空気を前記内周面に沿って旋回させて遠心分離した塵埃を捕集する集塵容器と、前記集塵容器の上方を覆う上蓋と、前記集塵容器の中央に設けられ遠心分離後の空気を上方へ排気する内筒と、前記内筒の上部に配置され上方へ排気される空気に含まれる塵埃をさらに捕集する上部フィルタとで構成される集塵装置において、前記集塵装置の外部から操作可能で回動自在な操作部材と、前記上部フィルタに付着した塵埃を除去する除塵部材と、前記操作部材と前記除塵部材を連結する連結部材と、前記除塵部材を前記上部フィルタ方向へ付勢する弾性体と、を備え、前記弾性体を前記上蓋と前記除塵部材との間に配置し、前記連結部材と前記操作部材は前記除塵部材と前記上蓋を挟み込むようにして結合し、前記除塵部材の回動を防止する回動防止手段を前記除塵部材及び前記上蓋に設け、前記連結部材には、前記除塵部材を前記上部フィルタから離間させる方向に誘導する傾斜面を有した凸部を周方向に複数個所並べて形成し、前記除塵部材には前記凸部と当接する山部を形成し、前記操作部材を回転操作することにより、前記除塵部材が前記上部フィルタの下流側の面に対し略垂直方向に往復動作する構成とした電気掃除機としたもので、操作部材の回動操作に連動して除塵部材が上部フィルタ方向に往復動作し、上部フィルタに繰り返し衝撃を与えることができる為、操作部材の少ない回動操作でも高い除塵効果が得られ、使い勝手を向上できる。
【００１１】
第２の発明は、特に第１の発明の集塵装置の山部を、凸部より少ない個数で均等な間隔を設けて形成したもので、前記凸部と前記山部の当接による磨耗を極力少なくすることができ、耐久性を持続できると共に、前記凸部と前記山部が当接する箇所それぞれが同じタイミングで当接するので前記除塵部材が均等にバランス良く摺動して広い範囲に同時に衝撃を与えることができるので、上部フィルタを効率的に除塵することができる。
【００１２】
第３の発明は、特に第１または第２の発明の集塵装置の除塵部材と連結部材との間に摺動抵抗を低減する為の摺動リブを前記除塵部材に複数箇所形成し、前記摺動リブ同士の間には塵埃等を逃がす回避空間を設けたもので、接触面積が少ない為、前記除塵部材の摺動抵抗が低減するのでスムーズに動作することができ、前記上部フィルタに効率良く衝撃を与えることができると共に、前記上蓋を前記集塵容器から外した時などに前記除塵部材と前記連結部材の間に微小な塵埃が侵入しても、微小な塵埃を移動させることができる空間があるので、前記除塵部材と前記連結部材の間で微小な塵埃が噛み込むことによる動作不良を防止できる。
【００１３】
以下、本発明の実施の形態について、図面を参照しながら説明する。なお、この実施の形態によってこの発明が限定されるものではない。
【００１４】
（実施の形態１）
本発明の第１の実施の形態における電気掃除機について図１〜１１を用いて説明する。図１は、本発明の第１の実施の形態における集塵装置を備えた電気掃除機の全体斜視図、図２は同集塵装置の全体斜視図、図３は同集塵装置の中央断面図、図４は図２におけるＡ−Ａ断面図、図５は同集塵装置の除塵手段を含む上蓋を外した状態の全体斜視図、図６は同集塵装置の除塵手段を含む上蓋及び上部フィルタを外した状態の上面図、図７は同集塵装置の内部構成を示す分解斜視図、図８は同集塵装置の除塵手段を含む上蓋の斜視図、図９は同集塵装置の除塵手段を含む上蓋の要部断面図、図１０は同集塵装置の除塵部材の全体斜視図、図１１は、図３におけるＢ−Ｂ断面図である。
【００１５】
本実施の形態における集塵装置を用いた電気掃除機は、図１に示すように、電気掃除機本体１と、前記電気掃除機本体１の前方に設けた吸入口に接続されるホース２と、前記ホース２の先端に設けられた接続パイプ３と、前記接続パイプ３に接続される延長管４と、延長管４の先端に設けられ塵埃を吸引する開口部（図示せず）を有する吸込具５からなり、前記電気掃除機本体１には、塵埃を吸引する為の吸引風を発生させる電動送風機（図示せず）と、塵埃を集塵する集塵装置６が内蔵されている。
【００１６】
前記集塵装置６は、図２〜１１に示すように、外郭は吸引した塵埃を捕集する集塵容器７と、前記集塵容器７の上面を覆い、前記集塵容器７に着脱自在に構成された上蓋８と、前記集塵容器７の下面を覆い、前記集塵容器７に回動自在に軸支した底蓋９とから構成されている。
【００１７】
前記上蓋８には、持ち運び用の把手部１０を軸支すると共に、前記集塵容器７に前記上蓋８を保持固定する尾錠１１を側面の２箇所に軸支している。また、集塵装置６内部に設けている比較的細かい塵埃を捕集する上部フィルタ１２に付着した塵埃を除去する除塵部材１３を操作する操作部材１４を前記上蓋８上方に回動自在に設けている。
【００１８】
前記集塵容器７は、略中央部分の径を他より小さくしている略円筒形状で形成すると共に、前記中央部分には吸引した塵埃を前記集塵容器７内に導く吸気口１５と、前記集塵容器７内部を清掃する為のお手入れブラシ１６を保持するブラシ保持部１７とを形成し、その近傍に前記底蓋９の開放時に操作するレバー体１８を設けている。前記吸気口１５は、前記集塵容器７の接線方向に向くように形成されている。
【００１９】
前記底蓋９には、前記集塵容器７との閉状態を保持する係止部１９を形成し、前記集塵容器７との気密性を保持する環状の底蓋パッキン２０を設けている。
【００２０】
前記集塵装置６内部には、遠心分離した塵埃を前記集塵容器７の底部に捕集する為の傘部２１と略円筒状のリブ体２２を備えた捕集部材２３と、前記傘部２１上方に位置し、捕集した塵埃が底部から舞い上がるのを防止する為の遮蔽部材２４と、塵埃を分離した後の空気を前記集塵容器７上方へ導く内筒開口部２５を有する内筒２６と、前記上部フィルタ１２を収納するフィルタ収納部２７とを設け、それぞれは爪嵌合にて保持固定され、前記集塵容器７と略同心円状に配置している。
【００２１】
前記内筒２６はメッシュ状の内筒フィルタ２８で前記内筒開口部２５を覆っている。なお、前記内筒フィルタ２８の代わりに前記内筒開口部２５をメッシュ状の孔として形成してもよい。
【００２２】
前記捕集部材２３の中央には、前記上部フィルタ１２から除塵された塵埃を前記集塵容器７底部に誘導する底筒部２９を形成し、前記底蓋９との気密性を保持する中央底パッキ
ン３０を前記底蓋９に設けている。
【００２３】
また、前記フィルタ収納部２７の下面には、前記フィルタ収納部２７と前記集塵容器７の気密性を保持する環状の収納部パッキン３１を設け、前記上部フィルタ１２の側面上方には、前記上部フィルタ１２と前記フィルタ収納部２７及び前記上蓋８の気密性を保持する環状のフィルターパッキン３２を設けている。
【００２４】
また、前記上蓋８内部には、プリーツ状に形成した前記上部フィルタ１２の上方に前記除塵部材１３を前記上部フィルタ１２の吸引風下流側の折部３３の頂点同士を結んだ仮想の面に対し、略垂直方向に摺動自在に設け、前記操作部材１４と前記除塵部材１３を連結する連結部材３４を、前記除塵部材１３と前記上蓋８を介して前記操作部材１４にネジ３５にて締め付け固定し前記操作部材１４と共に回動自在としている。
【００２５】
また、前記除塵部材１３と前記上蓋８との間に前記除塵部材１３を前記上部フィルタ１２方向へ付勢するコイルバネ等の弾性体３６を略中央に設け、前記除塵部材１３を前記上部フィルタ１２に当接させている。前記上部フィルタ１２が無い状態での前記除塵部材１３の摺動範囲は、正規に組み立てられた集塵装置６内において、前記上部フィルタ１２と当接している状態での摺動範囲より大きくなるような構成としている。
【００２６】
前記連結部材３４には前記除塵部材１３を前記上部フィルタ１２から離間させる方向に誘導し傾斜面を有する凸部３７を周方向に複数個所（ここでは１２箇所）並べて形成し、前記除塵部材１３には前記凸部３７と当接する山部３８を前記凸部３７より少ない個数（ここでは３箇所）で均等な間隔を設けて形成している。
【００２７】
また、前記除塵部材１３は略円状かつ前記上部フィルタ１２の上面の半分以上を覆うように形成している。前記操作部材１４の前記ネジ３５締付部近傍には、前記上蓋８との気密性を保持する環状の操作部パッキン３９を設け、前記上蓋８の後方には前記上部フィルタ１２上方の空間と電動送風機を連通する吸引通路４０を形成している。
【００２８】
前記上部フィルタ１２の側面上端には前記フィルタ収納部２７から取り出す時に使用するフィルタつまみ部４１を形成し、前記フィルタ収納部２７の側面上端には前記集塵容器７から取り出す時に使用する収納つまみ部４２を形成し、前記フィルタつまみ部４１の位置と前記収納つまみ部４２の位置はお互いに重ならない位置に設けている。
【００２９】
さらに、前記上部フィルタ１２の側面外周部の一部に前記フィルタ収納部２７との位置決め用に位置決めリブ４３を形成し、前記フィルタ収納部２７に前記位置決めリブ４３と係合する凹部４４を形成している。また、前記フィルタ収納部２７の側面外周部の一部に前記集塵容器７との位置関係を規制する収納規制リブ４５を形成し、前記集塵容器７には前記収納規制リブ４５と係合する係合リブ４６を形成している。
【００３０】
また、前記上蓋８には、前記上部フィルタ１２の上方への移動を防止するフィルタ押さえリブ４７と、前記フィルタ収納部２７の上方への移動を防止する収納部押さえリブ４８と、前記上蓋８を不正規位置にて組立てようとした時のみ前記収納つまみ部４２と当接して誤組立を防止する誤組立防止リブ４９を形成している。前記収納つまみ部４２は側面から見た時、前記集塵装置６の中心軸に対し前後非対称の形状としている。
【００３１】
前記上蓋８には、前記除塵部材１３を前記上蓋８に仮固定する爪部５０を形成し、前記除塵部材１３には前記爪部５０と係合する引掛け部５１を形成している。前記集塵装置６の正規組立状態では、前記爪部５０と前記引掛け部５１は当接していない。前記引掛け部５１の近傍には前記爪部５０の両側面と僅かに隙間を設けて形成した壁部５２を前記爪部
５０を挟み込むようにして前記除塵部材１３に形成している。
【００３２】
また、前記除塵部材１３及び前記上蓋８に前記除塵部材１３の回動を防止する回動防止手段５３を設け、前記回動防止手段５３は、前記爪部５０と前記壁部５２とで構成されると共に複数箇所設け均等な間隔で配置している。
【００３３】
前記除塵部材１３と前記連結部材３４との間には、前記除塵部材１３の摺動抵抗を低減する為の略リブ状の摺動リブ５４を前記除塵部材１３に略放射状に複数形成し、前記摺動リブ５４同士の間には前記上蓋８を前記集塵容器７から外した時などに侵入した微小な塵埃等を逃がす回避空間５５を設けている。
【００３４】
さらに、前記集塵容器７と前記底蓋９と前記捕集部材２３は少なくともその一部が可視性を有する材料にて形成している。
【００３５】
以上のように構成された電気掃除機について、以下その動作、作用を説明する。
【００３６】
前記吸込具５から吸い込まれる塵埃を含んだ空気は、前記延長管４、前記ホース２を経由して、前記吸気口１５から前記集塵装置６に吸い込まれる。前記吸気口１５は前記集塵容器７の接線方向に向くように形成されているので、吸い込まれた空気は前記集塵容器７の内周面に沿って旋回し、塵埃と空気とに遠心分離される。
【００３７】
分離された塵埃は、前記集塵容器７の下方、或いは前記捕集部材２３と前記底蓋９の間の空間に蓄積していき、塵埃を分離された空気は前記内筒開口部２５を通過し、前記上部フィルタ１２へ流入する。前記上部フィルタ１２へ流入した空気にも僅かながら分離しきれなかった非常に細かい塵埃が含まれており、前記上部フィルタ１２の上流側の面にてその塵埃を捕集している。前記上部フィルタ１２を通過した塵埃を含まない空気は前記上蓋８に形成した前記吸引通路４０を通って、電動送風機に吸引され、電気掃除機本体１の外に排気される。
【００３８】
前記上部フィルタ１２で捕集された塵埃を除去するには、前記操作部材１４を回動することにより、前記操作部材１４とネジ３５で固定されている前記連結部材３４及び前記凸部３７も回動し、前記凸部３７の傾斜面に前記除塵部材１３に形成した前記山部３８が当接し傾斜面に沿って乗り上げるように動作することで、前記除塵部材１３は前記弾性体３６の付勢に反して前記上部フィルタ１２から離間する方向へ摺動し、前記山部３８が前記凸部３７を乗り越えると前記弾性体３６の付勢により前記上部フィルタ１２に当接し、衝撃を与えることで前記上部フィルタ１２に付着した塵埃を除去することができる。
【００３９】
ここで除去された塵埃は、前記内筒２６の内側を通り前記底筒部２９の内部に落下し蓄積される。集塵装置６に蓄積した塵埃は、前記レバー体１８を下方に摺動することにより、前記底蓋９に設けた係止部１９が動作して前記集塵容器７との係止が解除され、前記底蓋９が開放することで、前記集塵容器７下方や前記底筒部２９内部に蓄積した塵埃は集塵装置６外部へ排出される。
【００４０】
前記上部フィルタ１２や前記内筒フィルタ２８、前記集塵容器７、前記捕集部材２３などに付着した細かい塵埃等のお手入れをしたい時には、前記お手入れブラシ１６を前記ブラシ保持部１７から外し、ブラシ部分や柄の部分にてお手入れが可能である。
【００４１】
まず、前記集塵装置６を電気掃除機本体１から取り外し、前記上蓋８に軸支している前記尾錠１１を外側に開くようにして前記集塵容器７から外し、前記把手部１０を持って前記上蓋８を前記集塵容器７から取り外す。この時、前記除塵部材１３などの除塵手段を構
成する各部品も前記上蓋８と一体で取り外される。
【００４２】
次に、前記上部フィルタ１２は、前記フィルタつまみ部４１を掴んで持ち上げると取り出すことができる。さらに、前記フィルタ収納部２７は、前記収納つまみ部４２を掴んで持ち上げると前記内筒２６及び前記捕集部材２３と共に取り出すことができる。
【００４３】
各部品のお手入れ後には、前記フィルタ収納部２７の前記収納規制リブ４５を前記集塵容器７の前記係合リブ４６に合わせて上から挿入し、前記上部フィルタ１２の前記位置決めリブ４３を前記フィルタ収納部２７の凹部４４に合わせて前記上部フィルタ１２を挿入する。最後に、除塵手段が組まれた前記上蓋８を前記集塵容器７に装着して前記尾錠１１にて係止し、集塵装置６を電気掃除機本体１に収納する。
【００４４】
以上のように、本実施の形態においては、前記操作部材１４の回転動作に連動して前記除塵部材１３が前記上部フィルタ１２方向に往復動作するようにしたことにより、操作部材１４の操作で前記上部フィルタ１２に繰り返し衝撃を与えることができるので、操作部材１４の少ない回動操作でも高い除塵効果が得られ、使い勝手を向上できる。
【００４５】
また、前記除塵部材１３を往復動作させる前記連結部材３４に前記凸部３７を周方向に複数個所並べて形成したことにより、前記操作部材１４の回転操作１回に対し前記凸部３７の個数と同じ回数の衝撃を上部フィルタ１２に与えることができるので、操作部材１４の少ない回動操作でも高い除塵効果が得られ、使い勝手を向上できる。
【００４６】
また、前記除塵部材１３は略円状かつ前記上部フィルタ１２の上面の半分以上を覆うように形成することにより、上部フィルタ１２の折部３３の広い範囲に同時に衝撃を与えることができるので、操作部材１４の少ない回動操作でも高い除塵効果が得られ、使い勝手を向上できる。
【００４７】
また、前記除塵部材１３には前記山部３８を前記凸部３７より少ない個数で形成していることにより、前記凸部３７と前記山部３８の当接による磨耗を極力少なくすることができ、耐久性を持続できる。特に前記操作部材１４の操作力に影響する前記凸部３７の傾斜面の磨耗を抑制できる。
【００４８】
また、前記山部３８を均等な間隔を設けて形成していることにより、前記凸部３７と前記山部３８が当接する箇所それぞれが同じタイミングで当接するので前記除塵部材１３が均等にバランス良く摺動して広い範囲に同時に衝撃を与えることができるので、上部フィルタ１２を効率的に除塵することができる。
【００４９】
また、前記操作部材１４は集塵装置６外部から操作できるので、集塵装置６に蓄積した塵埃を外部に排出しなくても、前記操作部材１４を操作し前記上部フィルタ１２に付着した塵埃を除去すれば、前記上部フィルタ１２の目詰まりが解消され、吸込力の低下を防止することができる。また、使用者が操作部材１４を操作したい時にいつでも操作できるので、使い勝手を向上できる。
【００５０】
また、前記除塵部材１３の回動を防止する前記回動防止手段５３を、前記爪部５０の両側面と僅かに隙間を設けて形成した壁部５２を前記爪部５０で挟み込むようにして形成すると共に複数箇所設け均等な間隔で配置することにより、前記除塵部材１３に回動方向の力が加わった時、前記壁部５２が前記爪部５０の側面と当接して、前記除塵部材１３は前記上蓋８に対して回動しないように規制され、前記連結部材３４の凸部３７の傾斜面に前記山部が当接した時に前記除塵部材１３が前記凸部３７と共に回動することなく、正規の摺動方向にスムーズに動作することができるので、前記操作部材１４の使用性を向上でき
る。
【００５１】
上部フィルタ１２の除塵手段を構成する主な部品としては、操作部材１４と連結部材３４と弾性体３６と除塵部材１３であり、従来の除塵手段の部品構成と比較して部品点数の削減ができると共に軽量化が図れる。
【００５２】
また、前記内筒２６の下部には、前記捕集部材２３に形成した前記傘部２１、前記リブ体２２及び前記遮蔽部材２４を設けており、前記底蓋９から見ると、上方に防護壁が形成されたようになるので、前記底蓋９付近に蓄積した塵埃が前記内筒開口部２５に舞い上がるのを防止することができる。
【００５３】
また、前記上蓋８に、前記上部フィルタ１２の上方への移動を防止するフィルタ押さえリブ４７と、前記フィルタ収納部２７の上方への移動を防止する収納部押さえリブ４８を形成しているので、前記フィルターパッキン３２と前記収納部パッキン３１と前記中央底パッキン３０における気密性の保持を確実に行うことができる。
【００５４】
また、前記上蓋８に、前記除塵部材１３を前記上蓋８に仮固定する爪部５０を形成し、前記除塵部材１３には前記爪部５０と係合する引掛け部５１を形成したことにより、前記除塵部材１３の組立時に、前記弾性体３６の反発があっても前記除塵部材１３は安定して取り付けられ、前記連結部材３４と前記操作部材１４のネジ締めが容易にできるので、組立性を向上できる。
【００５５】
また、前記上蓋８を前記集塵容器７から取り外すと、前記上部フィルタ１２や前記フィルタ収納部２７は前記集塵容器７から上下方向に持ち上げたり、挿入したりするだけで着脱が可能なので、集塵装置６の分解や組立が容易にでき、使い勝手を向上できる。
【００５６】
また、前記フィルタつまみ部４１の位置と前記収納つまみ部４２の位置はお互いに重ならない位置に設けているので、各つまみ部を掴む時にお互いが邪魔にならず容易に取り出すことができる。
【００５７】
また、前記上蓋８に前記誤組立防止リブ４９を形成し、前記収納つまみ部４２を側面から見た時、前記集塵装置６の中心軸に対し前後非対称の形状としたことにより、前記上蓋８を不正規位置にて組立てようとした時には、前記フィルタ収納部２７の前記収納つまみ部４２が前記誤組立防止リブ４９に干渉し、前記尾錠１１の係止が不可能になる為、前記上蓋８の誤組立を防止することができる。
【００５８】
また、前記上部フィルタ１２には、除塵手段を構成する部品が付いていないので、容易にお手入れができる。
【００５９】
また、前記集塵容器７と前記底蓋９と前記捕集部材２３は少なくともその一部が可視性を有する材料にて形成しているので、集塵装置６内部に蓄積した塵埃の量が確認でき、使用者がごみ捨ての時期を容易に判断できる。
【００６０】
また、前記除塵部材１３と前記連結部材３４との間には、前記除塵部材１３の摺動抵抗を低減する為の略リブ状の摺動リブ５４を前記除塵部材１３に略放射状に複数形成していることにより、接触面積が少ない為、前記除塵部材１３の摺動抵抗が低減するのでスムーズに動作することができ、前記上部フィルタ１２に効率良く衝撃を与えることができる。
【００６１】
また、前記摺動リブ５４同士の間に前記回避空間５５を設けていることにより、お手入れの為に前記上蓋８を前記集塵容器７から外した時などに前記除塵部材１３と前記連結部
材３４の間に微小な塵埃が侵入しても、微小な塵埃を移動させることができる空間があるので、前記除塵部材１３と前記連結部材３４の間で微小な塵埃が噛み込むことによる動作不良を防止できる。
【００６２】
なお、本実施の形態では前記凸部３７を１２箇所とし、前記山部３８を３箇所としているが、前記凸部３７を素数以外の数で形成し、前記山部３８を前記凸部３７の約数となる数で均等間隔に形成すれば、前記凸部３７と前記山部３８が当接する箇所それぞれが同じタイミングで当接するのでバランス良く前記除塵部材１３を動作させることができるので、より効率的に除塵効果が得られる。
【００６３】
また、本実施の形態では前記凸部３７を１２箇所としているが、さらに個数を増やせば、前記除塵部材１３の往復動作が増えるので、数多くの衝撃を上部フィルタ１２に与えることができ、さらに高い除塵効果が得られる。また、個数を減らせば、前記凸部３７と前記山部３８の当接が減るので、前記山部の磨耗を抑制することができ、耐久性を向上できる。
【００６４】
また、本実施の形態では前記山部３８を３箇所としているが、さらに山部が多い時は、前記凸部３７と前記山部３８が当接する箇所が増え、よりバランス良く前記除塵部材１３を動作することができるので、より効率的に除塵効果が得られる。
【００６５】
なお、本実施の形態では、連結部材に傾斜面を有する凸部を形成し、除塵部材に山部を形成しているが、反対に除塵部材に傾斜面を有する凸部を形成し、連結部材に山部を形成しても同様の効果が得られるものである。
【産業上の利用可能性】
【００６６】
以上のように、本発明にかかる電気掃除機は、操作部材の少ない回動操作でも高い除塵効果が得られる集塵装置を備え、使い勝手を向上できるので、家庭用や業務用の電気掃除機等の用途にも適用できる。
【符号の説明】
【００６７】
１  電気掃除機本体
６  集塵装置
７  集塵容器
８  上蓋
１２  上部フィルタ
１３  除塵部材
１４  操作部材
２６  内筒
３４  連結部材
３６  弾性体
３７  凸部
３８  山部
５３  回動防止手段
５４  摺動リブ
５５  回避空間
【図６】
2014000343.tif 000003
【図７】
2014000343.tif 000004
【図８】
2014000343.tif 000005
【図１０】
2014000343.tif 000006
【図１】
2014000343.tif 000007
【図２】
2014000343.tif 000008
【図３】
2014000343.tif 000009
【図４】
2014000343.tif 000010
【図５】
2014000343.tif 000011
【図９】
2014000343.tif 000012
【図１１】
2014000343.tif 000013